(57)【要約】【課題】  分割伝送されない正常な映像信号に対して誤検出することなく、分割伝送された映像信号の異常を検出することを可能にした処理装置を提供すること。【解決手段】  複数の入力手段と、前記複数の入力手段に入力された複数の映像信号が、１つの映像信号を分割して得られた信号であるか判断する判断手段と、前記複数の入力手段に入力された複数の映像信号の特性の差異に基づいて、各映像信号が所定の条件で送信されているか否かを判定する判定処理を実行する判定手段と、を備え、前記判断手段が前記複数の入力手段に入力された複数の映像信号が、１つの映像信号を分割して得られた信号である判断した場合に、前記判定手段は、前記判定処理を実行することを特徴とする。【選択図】図１
2020120212.tif 000002
【特許請求の範囲】
【請求項１】
複数の入力手段と、
前記複数の入力手段に入力された複数の映像信号が、１つの映像信号を分割して得られた信号であるか判断する判断手段と、
前記複数の入力手段に入力された複数の映像信号の特性の差異に基づいて、各映像信号が所定の条件で送信されているか否かを判定する判定処理を実行する判定手段と、
を備え、
前記判断手段が前記複数の入力手段に入力された複数の映像信号が、１つの映像信号を分割して得られた信号である判断した場合に、前記判定手段は、前記判定処理を実行することを特徴とする処理装置。
【請求項２】
前記複数の入力手段に接続された複数の映像信号のうち１以上の映像信号に基づく画像を表示手段に表示する制御手段と、
をさらに備え、
前記判定処理の結果、前記複数の映像信号それぞれが前記所定の条件で送信されていると判定された場合に、前記制御手段は、前記複数の入力手段に入力された複数の映像信号それぞれに基づく画像が周期的に表示されるように前記表示手段を制御することを特徴とする請求項１に記載の処理装置。
【請求項３】
複数の入力手段と、
前記複数の入力手段に入力された複数の映像信号が、１つの映像信号を分割して得られた信号であるか判断する判断手段と、
前記複数の入力手段に接続された複数の映像信号のうち１以上の映像信号に基づく画像を表示手段に表示する制御手段と、
を備え、
前記判断手段が前記複数の入力手段に入力された複数の映像信号が、１つの映像信号を分割して得られた信号である判断した場合に、前記制御手段は、前記複数の入力手段に入力された複数の映像信号それぞれに基づく画像が周期的に表示されるように前記表示手段を制御することを特徴とする処理装置。
【請求項４】
前記判定手段は、各映像信号の有無、表示可否、画素数、垂直周波数、水平周波数、走査方式、ＳＤＩ方式、Ｐａｙｌｏａｄ  ＩＤ、統計量、平均輝度、および輝度分布の少なくとも一つの特性の差異に基づいて、前記判定処理を実行することを特徴とする請求項１乃至請求項３の何れか一項に記載の処理装置。
【請求項５】
前記複数の入力手段は、４つの入力手段である
ことを特徴とする請求項１乃至請求項４の何れか一項に記載の処理装置。
【請求項６】
前記判断手段は、前記複数の入力手段に入力された映像信号がＱｕａｄ−ｌｉｎｋ  １２Ｇ−ＳＤＩ方式の信号である場合に、前記複数の入力手段に入力された複数の映像信号が、１つの映像信号を分割して得られた信号であると判断し、
前記判断手段は、ＳＤＩ方式とＰａｙｌｏａｄ  ＩＤに基づいて、前記複数の入力手段に入力された映像信号がＱｕａｄ−ｌｉｎｋ  １２Ｇ−ＳＤＩ方式の信号であるか否かを判断することを特徴とする請求項１乃至請求項５の何れか一項に記載の処理装置。
【請求項７】
前記判定手段が少なくとも１つの映像信号が前記所定の条件で送信されていないと判定した場合に所定の通知を実行する通知手段をさらに備えることを特徴とする請求項１乃至請求項６の何れか一項に記載の処理装置。
【請求項８】
複数の入力手段を備える処理装置の制御方法であって、
前記複数の入力手段に入力された複数の映像信号が、１つの映像信号を分割して得られた信号であるか判断する判断工程と、
前記複数の入力手段に入力された複数の映像信号の特性の差異に基づいて、各映像信号が所定の条件で送信されているか否かを判定する判定処理を実行する判定工程と、
を備え、
前記判断工程が前記複数の入力手段に入力された複数の映像信号が、１つの映像信号を分割して得られた信号である判断した場合に、前記判定工程は、前記判定処理を実行することを特徴とする処理装置の制御方法。
【請求項９】
前記複数の入力手段に接続された複数の映像信号のうち１以上の映像信号に基づく画像を表示手段に表示する制御工程と、
をさらに備え、
前記判定工程の結果、前記複数の映像信号それぞれが前記所定の条件で送信されていると判定された場合に、前記制御工程は、前記複数の入力手段に入力された複数の映像信号それぞれに基づく画像が周期的に表示されるように前記表示手段を制御することを特徴とする請求項８に記載の処理装置の制御方法。
【請求項１０】
複数の入力手段を備える処理装置の制御方法であって、
前記複数の入力手段に入力された複数の映像信号が、１つの映像信号を分割して得られた信号であるか判断する判断工程と、
前記複数の入力手段に接続された複数の映像信号のうち１以上の映像信号に基づく画像を表示手段に表示する制御工程と、
を備え、
前記判断工程が前記複数の入力手段に入力された複数の映像信号が、１つの映像信号を分割して得られた信号である判断した場合に、前記制御工程は、前記複数の入力手段に入力された複数の映像信号それぞれに基づく画像が周期的に表示されるように前記表示手段を制御することを特徴とする処理装置の制御方法。
【請求項１１】
前記判定工程は、各映像信号の有無、表示可否、画素数、垂直周波数、水平周波数、走査方式、ＳＤＩ方式、Ｐａｙｌｏａｄ  ＩＤ、統計量、平均輝度、および輝度分布の少なくとも一つの特性の差異に基づいて、前記判定処理を実行することを特徴とする請求項８乃至請求項１０の何れか一項に記載の処理装置の制御方法。
【請求項１２】
前記複数の入力手段は、４つの入力手段である
ことを特徴とする請求項８乃至請求項１１の何れか一項に記載の処理装置の制御方法。
【請求項１３】
前記判断工程は、前記複数の入力手段に入力された映像信号がＱｕａｄ−ｌｉｎｋ  １２Ｇ−ＳＤＩ方式の信号である場合に、前記複数の入力手段に入力された複数の映像信号が、１つの映像信号を分割して得られた信号であると判断し、
前記判断工程は、ＳＤＩ方式とＰａｙｌｏａｄ  ＩＤに基づいて、前記複数の入力手段に入力された映像信号がＱｕａｄ−ｌｉｎｋ  １２Ｇ−ＳＤＩ方式の信号であるか否かを判断することを特徴とする請求項８乃至請求項１２の何れか一項に記載の処理装置の制御方法。
【請求項１４】
前記判定工程が少なくとも１つの映像信号が前記所定の条件で送信されていないと判定した場合に所定の通知を実行する通知工程をさらに備えることを特徴とする請求項８乃至請求項１３の何れか一項に記載の処理装置の制御方法。
【発明の詳細な説明】
【技術分野】
【０００１】
本発明は、処理装置およびその制御方法に関する。
【背景技術】
【０００２】
近年、４Ｋや８Ｋといった高精細な映像方式が普及してきている。一方、表示装置の普及が十分ではなく、映像信号よりも画素数が少ない表示装置を用いて、映像信号を監視する場合もある。例えば、４Ｋ画素数の表示装置を用いて、８Ｋ画素数の映像信号を監視する場合である。本提案書において、４Ｋは、少なくとも水平有効画素数が３８４０の方式と４０９６の方式を含むものとする。また、８Ｋは、少なくとも水平有効画素数が７６８０の方式と８１９２の方式を含むものとする。このような高解像度の画像信号を伝送するために、複数の伝送路（ケーブル）を用いて、分割した画像信号を送信することがある。
【０００３】
特許文献１には、撮影装置が撮影した映像を表示装置に表示し、運転手が表示装置を見ながら運転する車において、表示装置へ伝送される映像信号の統計量の一定時間間隔の変化から、異常を検出する技術が開示されている。
【先行技術文献】
【特許文献】
【０００４】
【特許文献１】特開２０１７−２０８７５０号公報
【発明の概要】
【発明が解決しようとする課題】
【０００５】
上記の特許文献１に開示された従来技術を用いて、分割伝送された映像信号を監視する場合、それぞれのケーブルに伝送される映像信号の統計量の一定時間間隔の変化から、異常を検出する方式が考えられる。４本のケーブルで映像信号が伝送されている場合、各ケーブルに伝送される映像信号の統計量の一定時間間隔の変化から、異常を検出する。
【０００６】
しかしながら、表示装置に対して、複数の伝送路で映像信号が入力される場合と、１つの伝送路で映像信号が入力される場合とが混在して使用されることがある。１つのケーブルで映像信号が入力されている場合に、３本のケーブルには映像信号が伝送されないが、これを異常として誤検出してしまうことがある。
【０００７】
そこで、本発明の目的は、分割伝送された映像信号の異常を検出することを可能にした処理装置を提供することにある。
【課題を解決するための手段】
【０００８】
上記の目的を達成するために、本発明に係る処理装置は、
複数の映像入力手段と、前記複数の映像入力手段に接続された映像信号が分割伝送された信号であるか判断する判断手段と、前記複数の映像入力手段に接続された映像信号の特性の相互差異から異常を検出する異常検出手段とを有する映像処理装置において、前記判断手段が分割伝送と判断したときに限り前記異常検出手段を実行することを特徴とする。
【発明の効果】
【０００９】
本発明によれば、分割伝送された映像信号の異常を検出することを可能にした処理装置の提供を実現できる。
【図面の簡単な説明】
【００１０】
【図１】表示装置の概略構成を示す第１のブロック図である。
【図２】表示装置が実行する異常検出処理を示す第１のフローチャートである。
【図３】表示装置が実行する巡回処理を示す第２のフローチャートである。
【図４】表示装置が、異常検出処理および巡回処理を実行する条件およびタイミングを示す第３のフローチャートである。
【図５】表示装置の概略構成を示す第２のブロック図である。
【図６】表示装置が実行する異常検出処理を示す第４のフローチャートである。
【図７】表示装置の概略構成を示す第３のブロック図である。
【図８】表示装置が実行する巡回処理を示す第５のフローチャートである。
【発明を実施するための形態】
【００１１】
以下に、本発明を実施するための形態について、図面を参照しながら詳細に説明する。
【００１２】
＜実施例１＞
近年、４Ｋや８Ｋといった高精細な映像方式が普及してきている。一方、表示装置の普及が十分ではなく、映像信号よりも画素数が少ない表示装置を用いて、映像信号を監視する場合もある。例えば、４Ｋ画素数の表示装置を用いて、８Ｋ画素数の映像信号を監視する場合である。本提案書において、４Ｋは、少なくとも水平有効画素数が３８４０の方式と４０９６の方式を含むものとする。また、８Ｋは、少なくとも水平有効画素数が７６８０の方式と８１９２の方式を含むものとする。
【００１３】
４Ｋや８Ｋの映像方式では、伝送に広帯域が必要であるため、複数のケーブルに分割して伝送される場合がある。例えば、ＳＭＰＴＥ  ＳＴ  ２０８２−１２にて規定されているＱｕａｄ−ｌｉｎｋ  １２Ｇ−ＳＤＩ信号では、８Ｋの映像を４本のケーブルに分割して伝送する。８Ｋ映像は、２  Ｓａｍｐｌｅ  Ｉｎｔｅｒｌｅａｖｅ方式により、４系統の４Ｋ映像に分割され、４本のケーブルで伝送される。１本のケーブルで伝送された信号を１系統の４Ｋ映像として表示することも可能である。８Ｋ映像は、垂直方向に１ラインごと、水平方向に２画素ごとに分割される。従って、分割された４Ｋ映像は、略同一の絵柄となる。なお、本提案書において、ＳＭＰＴＥ  ＳＴ  ２０８２−１２にて規定されているＱｕａｄ−ｌｉｎｋ  １２Ｇ−ＳＤＩ信号を８Ｋ２ＳＩ信号と記載する場合がある。
【００１４】
ＳＭＰＴＥは、アメリカ合衆国の規格化団体であり、正式名称はＳｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓである。ＳＤＩは、ＳＭＰＴＥが方式を規定している映像信号であり、正式名称はＳｅｒｉａｌ  Ｄｉｇｉｔａｌ  Ｉｎｔｅｒｆａｃｅである。
【００１５】
上述のようにして、複数の伝送路（ケーブル）を用いて、高解像度の映像信号を送受信する一方で、従来のように１本の伝送路を用いて映像信号を送受信するユースケースも存在する。
【００１６】
伝送路ごとに映像信号の送受信が適正に行われているかを確認する場合、複数の伝送路を用いて映像信号の受信するモードから単数の伝送路を用いて映像信号の受信するモードに切り替わったときに、映像信号の送受信が適正に行われていない（異常である）と判定されることがある。
【００１７】
図１は、本発明の第１の実施例にかかわる表示装置の概略構成を示すブロック図である。
【００１８】
表示装置は、４Ｋ画素数の表示部を有し、４Ｋ画素数の映像信号を表示可能である。Ｑｕａｄ−ｌｉｎｋ  １２Ｇ−ＳＤＩで入力される８Ｋ画素数の映像信号から４Ｋ画素数を選択して表示可能である。本実施例では、４Ｋ画素数の表示装置を用いて、Ｑｕａｄ−ｌｉｎｋ  １２Ｇ−ＳＤＩで入力される８Ｋ画素数の映像信号を監視する例を説明する。
【００１９】
図１を参照して、本発明の第１の実施例にかかわる表示装置の概略構成について説明する。
【００２０】
表示装置は、入力端子１０１ａ、入力端子１０１ｂ、入力端子１０１ｃ、入力端子１０１ｄは、１２Ｇ−ＳＤＩに対応した入力端子でありＢＮＣコネクタなどから構成される。
【００２１】
入力部１０２ａ、入力部１０２ｂ、入力部１０２ｃ、入力部１０２ｄは、１２Ｇ−ＳＤＩ方式の映像信号を受信し、表示装置の内部方式に変換する。
【００２２】
信号情報取得部１０３ａは、入力部１０２ａから受け取った映像信号を計測して、信号情報を取得する。信号情報とは、映像信号のＳＤＩ方式（１２Ｇ−ＳＤＩ、６Ｇ−ＳＤＩ、３Ｇ−ＳＤＩ、ＨＤ−ＳＤＩ、ＳＤ−ＳＤＩの区別）、有効画素数、総画素数、垂直周波数、水平周波数、走査方式、Ｐａｙｌｏａｄ  ＩＤなどである。Ｐａｙｌｏａｄ  ＩＤは、ＳＤＩ信号のブランキング期間に重畳され、そのＳＤＩ信号の特性（カラーフォーマット、色深度、フレーム周波数など）を示す情報であり、Ｑｕａｄ−ｌｉｎｋ  １２Ｇ−ＳＤＩの場合、ＳＭＰＴＥ  ＳＴ  ２０８２−１２に規定されている。信号情報は、他に取得されてもよく、本発明の範囲はこれに限定されない。
【００２３】
同様に、信号情報取得部１０３ｂ、信号情報取得部１０３ｃ、信号情報取得部１０３ｄは、それぞれ、入力部１０２ｂ、入力部１０２ｃ、入力部１０２ｄから受け取った映像信号の信号情報を取得する。
【００２４】
選択部１０４は、入力部１０２ａ、入力部１０２ｂ、入力部１０２ｃ、入力部１０２ｄから受信した４系統の映像信号から１系統を選択して出力する。Ｑｕａｄ−ｌｉｎｋ  １２Ｇ−ＳＤＩは、４系統の４Ｋ画素数の映像を２  Ｓａｍｐｌｅ  Ｉｎｔｅｒｌｅａｖｅ方式で結合して８Ｋ画素数としたものである。よって、選択部１０４が受信する４系統の映像は、それぞれ、４Ｋ画素数である。選択部１０４が出力する映像は、４Ｋ画素数である。
【００２５】
画質調整部１０５は、選択部１０４が出力した映像信号の明るさや色の濃さといった画質を調整する。
【００２６】
グラフィック生成部１０６は、使用者が表示装置を操作するためのＧＵＩ（Ｇｒａｐｈｉｃ  Ｕｓｅｒ  Ｉｎｔｅｒｆａｃｅ）のグラフィックを生成する。
【００２７】
グラフィック合成部１０７は、画質調整部１０５が出力した映像信号とグラフィック生成部１０６が出力したグラフィック信号を合成し、一つの映像信号として出力する。
【００２８】
表示部１０８は、グラフィック合成部１０７が出力した４Ｋ画素数の映像信号を表示する。表示部１０８の方式に特に制限はなく、液晶表示方式や有機ＥＬ方式が本発明に適用可能である。
【００２９】
制御部１０９は、ＣＰＵとメモリから構成される。メモリに書き込まれたソフトウエアをＣＰＵが実行する。
【００３０】
入力部１０２ａ、入力部１０２ｂ、入力部１０２ｃ、入力部１０２ｄ、信号情報取得部１０３ａ、信号情報取得部１０３ｂ、信号情報取得部１０３ｃ、信号情報取得部１０３ｄ、選択部１０４、画質調整部１０５、グラフィック生成部１０６、グラフィック合成部１０７、制御部１０９は、電子回路として構成される。
【００３１】
入力部１０２ａ、入力部１０２ｂ、入力部１０２ｃ、入力部１０２ｄ、信号情報取得部１０３ａ、信号情報取得部１０３ｂ、信号情報取得部１０３ｃ、信号情報取得部１０３ｄ、選択部１０４、画質調整部１０５、グラフィック生成部１０６、グラフィック合成部１０７は、不図示の制御バスで制御部１０９と接続され、制御部１０９により制御される。
【００３２】
以下、簡単化のため入力端子１０１ａを端子Ａ、入力端子１０１ｂを端子Ｂ、入力端子１０１ｃを端子Ｃ、入力端子１０１ｄを端子Ｄと呼ぶ。また、端子Ａ、端子Ｂ、端子Ｃ、端子Ｄのすべてを指して端子Ａ〜Ｄと呼ぶ。
【００３３】
本発明の第１の実施例にかかわる表示装置が実行する監視処理について説明する。監視処理は、異常検出処理と巡回処理から構成される。異常検出処理は、端子Ａ〜Ｄのうち１端子を選択して表示している際に、非選択の端子に対しても映像信号が正しく入力され、４本のケーブルで伝送されるＱｕａｄ−ｌｉｎｋ  １２Ｇ−ＳＤＩ信号が、表示装置の端子Ａ〜Ｄへ正しく入力されていることを監視することを目的とする。巡回処理は、端子Ａ〜Ｄから表示の対象として選択される端子を順次切り換え、表示することで、使用者が表示装置の端子Ａ〜Ｄへ入力される映像信号を視認して監視することを目的とする。
【００３４】
図２は、本発明の第１の実施例にかかわる表示装置が実行する異常検出処理を示すフローチャートである。
【００３５】
図２を参照して、異常検出処理について説明する。
【００３６】
制御部１０９が、制御バス経由で表示装置の他の部材を制御し、異常検出処理を実行する。なお、表示装置が異常検出処理を実行する条件やタイミングは後述する。
【００３７】
Ｓ２０１で制御部１０９は、信号情報取得部１０３ａから端子Ａの信号有無を取得する。他の端子に関しても同様に信号有無を取得する。端子Ａ〜Ｄのうち少なくとも１端子が無信号のときＳ２０６、そうでないときＳ２０２へ遷移する。
【００３８】
Ｓ２０２で制御部１０９は、信号情報取得部１０３ａから端子Ａの信号情報を取得し、表示装置が表示可能な信号（対応信号）であるか、表示不可能な信号（非対応信号）であるか判断する。他の端子に関しても同様に対応信号であるか、非対応信号であるか判断する。端子Ａ〜Ｄのうち少なくとも１端子が非対応信号であるときＳ２０６、そうでないときＳ２０２へ遷移する。
【００３９】
Ｓ２０３で制御部１０９は、信号情報取得部１０３ａから端子Ａの画素数を取得する。他の端子に関しても同様に画素数を取得する。端子Ａ〜Ｄの画素数がすべて同一のときＳ２０４、そうでないときＳ２０６へ遷移する。
【００４０】
Ｓ２０４で制御部１０９は、信号情報取得部１０３ａから端子Ａの垂直周波数を取得する。他の端子に関しても同様に垂直周波数を取得する。端子Ａ〜Ｄの垂直周波数がすべて同一のときＳ２０５、そうでないときＳ２０６へ遷移する。なお、垂直周波数は、測定された周波数を２３．９８Ｈｚ、２４．００Ｈｚ、２５．００Ｈｚ、２９．９７Ｈｚ、３０．００Ｈｚ、４７．９５Ｈｚ、４８．００Ｈｚ、５０．００Ｈｚ、５９．９４Ｈｚ、６０．００Ｈｚのうち最も近い周波数へ変換し、変換後の周波数が同一であれば、同一と判断する。垂直周波数は、他の周波数を含めてもよく、本発明の範囲はこれに限定されない。例えば、９５．９０Ｈｚ、９６．００Ｈｚ、１００．００Ｈｚ、１１９．８８Ｈｚ、１２０．００Ｈｚを含めてもよい。
【００４１】
Ｓ２０５で制御部１０９は、信号情報取得部１０３ａから端子Ａの走査方式を取得する。走査方式は、Ｐ（Ｐｒｇｒｅｓｓｉｖｅ）、または、Ｉ（Ｉｎｔｅｒｌａｃｅ）、または、ＰｓＦ（Ｐｒｇｒｅｓｓｉｖｅ  Ｓｅｇｍｅｎｔｅｄ  Ｆｒａｍｅ）である。他の端子に関しても同様に走査方式を取得する。端子Ａ〜Ｄの走査方式がすべて同一のとき終了し、そうでないときＳ２０６へ遷移する。
【００４２】
Ｓ２０６で制御部１０９は、使用者に対し入力映像信号の異常を警告する。警告方法は特に限定さないが、グラフィック生成部１０６で「入力映像信号が異常です」といった文言の画像を生成し、グラフィック合成部１０７で合成したのち、表示部１０８へ表示する方法がある。
【００４３】
図３は、本発明の第１の実施例にかかわる表示装置が実行する巡回処理を示すフローチャートである。
【００４４】
図３を参照して、巡回処理について説明する。
【００４５】
制御部１０９が、制御バス経由で表示装置の他の部材を制御し、巡回処理を実行する。なお、表示装置が巡回処理を実行する条件やタイミングは後述する。
【００４６】
Ｓ３０１で制御部１０９は、選択部１０４を制御して選択される端子を切り換える。端子Ａが選択されているとき、端子Ｂへ切り換える。同様に、端子Ｂが選択されているとき端子Ｃへ、端子Ｃが選択されているとき端子Ｄへ、端子Ｄが選択されているとき端子Ａへ切り換える。
【００４７】
図４は、本発明の第１の実施例にかかわる表示装置が、異常検出処理および巡回処理を実行する条件およびタイミングを示すフローチャートである。
【００４８】
図４を参照して、異常検出処理および巡回処理を実行する条件およびタイミングについて説明する。
【００４９】
制御部１０９が、制御バス経由で表示装置の他の部材を制御し、図４に示す処理を実行する。制御部１０９は、周期的に処理を実行し、例えば１０秒に１回実行する。
【００５０】
Ｓ４０１で設定「入力信号選択」が設定値「オート」のときＳ４０２へ遷移し、そうでないとき終了する。設定および設定値は、制御部１０９が、グラフィック生成部１０６およびグラフィック合成部１０７を制御してＧＵＩを描画して使用者に示し、使用者によるキー（否図示）への操作を読み取ることで、実施される。設定「入力信号選択」は、設定値として「オート」、「端子Ａ」、「端子Ｂ」、「端子Ｃ」、「端子Ｄ」を取り得る。「オート」は、表示装置が表示対象とする端子を自動選択する設定である。「端子Ａ」は、端子Ａが表示対象として選択される設定である。「端子Ｂ」、「端子Ｃ」、「端子Ｄ」も同様である。
【００５１】
Ｓ４０２で端子Ａ〜Ｄのうち少なくとも１端子にＱｕａｄ−ｌｉｎｋ  １２Ｇ−ＳＤＩ信号のうちの１本が入力されているときＳ４０３へ遷移し、そうでないとき終了する。より詳細には、信号情報取得部１０３ａにて取得したＳＤＩ方式が１２Ｇ−ＳＤＩであり、Ｐａｙｌｏａｄ  ＩＤのＢｙｔｅ１が、０ｘＤ２であるとき、端子ＡにＱｕａｄ−ｌｉｎｋ  １２Ｇ−ＳＤＩ信号のうちの１本が入力されていると判断する。端子Ｂ、端子Ｃ、端子Ｄも同様に判断する。なお、ＳＭＰＴＥ  ＳＴ  ２０８２−１２において、Ｑｕａｄ−ｌｉｎｋ  １２Ｇ−ＳＤＩ信号のＰａｙｌｏａｄ  ＩＤのＢｙｔｅ１は、０ｘＤ２と規定されている。
【００５２】
Ｓ４０３で設定「８Ｋ２ＳＩフォーマット」が設定値「オン」のときＳ４０４へ遷移し、そうでないときＳ４０５へ遷移する。設定「８Ｋ２ＳＩフォーマット」は、設定値として「オン」と「オフ」を取り得る。
【００５３】
Ｓ４０４で前述の異常検出処理を実行する。
【００５４】
Ｓ４０５で設定「８Ｋ２ＳＩスイッチング」が設定値「オン」のときＳ４０６遷移し、そうでないとき終了する。設定「８Ｋ２ＳＩスイッチング」は、設定値として「オン」と「オフ」を取り得る。
【００５５】
Ｓ４０６でＳ４０４における異常検出処理にて警告を実行しなかったときＳ４０７へ遷移し、そうでないとき終了する。
【００５６】
Ｓ４０７で前述の巡回処理を実行する。端子Ａへ１２Ｇ−ＳＤＩ信号が入力されている場合、信号情報取得部１０３ａが取得するＰａｙｌｏａｄ  ＩＤのＢｙｔｅ１は、０ｘＣＥとなる。端子Ｂ、端子Ｃ、端子Ｄに関しても同様である。よって、端子Ａ〜Ｄへ１２Ｇ−ＳＤＩ信号が入力されている場合、Ｓ４０２にて、判断がＮｏとなり、図４に示すフローは終了する。この場合、Ｓ４０４における異常検出処理、および、Ｓ４０７における巡回処理は実行されない。なお、ＳＭＰＴＥ  ＳＴ  ２０８２−１０にて、１２Ｇ−ＳＤＩのＰａｙｌｏａｄ  ＩＤのＢｙｔｅ１は、０ｘＣＥと規定されている。同様に、端子Ａ〜ＤへＱｕａｄ−ｌｉｎｋ  １２Ｇ−ＳＤＩ信号でない任意の信号が入力されているとき、Ｓ４０４における異常検出処理、および、Ｓ４０７における巡回処理は実行されない。
【００５７】
よって、Ｑｕａｄ−ｌｉｎｋ  １２Ｇ−ＳＤＩ信号でないに任意の信号に対して、映像信号の異常を誤検出することはない。
【００５８】
本発明の実施例１によれば、分割伝送されない正常な映像信号に対して誤検出することなく、分割伝送された映像信号の異常を検出することを可能にした映像処理装置を提供することができる。
【００５９】
＜実施例２＞
第１の実施例を一部改変して本発明を実施する例を説明する。本発明の第２の実施例では、端子Ａ〜Ｄから入力される映像信号の統計量を利用する例を説明する。なお、主として実施例１との差分を説明する。
【００６０】
図５は、本発明の第２の実施例にかかわる表示装置の概略構成を示すブロック図である。
【００６１】
図５を参照して、本発明の第２の実施例にかかわる表示装置の概略構成について説明する。
【００６２】
統計量取得部５１０ａは、入力部１０２ａから受け取った映像信号を計測して、統計量を取得する。統計量とは、平均輝度や輝度分布といった映像信号の絵柄としての特性を示すものである。
【００６３】
同様に、統計量取得部５１０ｂ、統計量取得部５１０ｃ、統計量取得部５１０ｄは、それぞれ、入力部１０２ｂ、入力部１０２ｃ、入力部１０２ｄから受け取った映像信号の統計量を取得する。
【００６４】
制御部５０９は、ＣＰＵとメモリから構成される。メモリに書き込まれたソフトウエアをＣＰＵが実行する。なお、第１の実施例における制御部１０９と動作が一部異なるため、別の符号を付す。
【００６５】
他の構成要素は第１の実施例と同一であり、第１の実施例と共通の符号を用いて示す。
【００６６】
入力部１０２ａ、入力部１０２ｂ、入力部１０２ｃ、入力部１０２ｄ、信号情報取得部１０３ａ、信号情報取得部１０３ｂ、信号情報取得部１０３ｃ、信号情報取得部１０３ｄ、選択部１０４、画質調整部１０５、グラフィック生成部１０６、グラフィック合成部１０７、統計量取得部５１０ａ、統計量取得部５１０ｂ、統計量取得部５１０ｃ、統計量取得部５１０ｄは、不図示の制御バスで制御部５０９と接続され、制御部５０９により制御される。
【００６７】
図６は、本発明の第２の実施例にかかわる表示装置が実行する異常検出処理を示すフローチャートである。
【００６８】
図６を参照して、異常検出処理について説明する。
【００６９】
Ｓ６０５で制御部５０９は、信号情報取得部１０３ａから端子Ａの走査方式を取得する。他の端子に関しても同様に走査方式を取得する。端子Ａ〜Ｄの走査方式がすべて同一のときＳ６０６へ遷移し、そうでないときＳ２０６へ遷移する。
【００７０】
Ｓ６０６で制御部５０９は、統計量取得部５１０ａから端子Ａの統計量を取得する。他の端子に関しても同様に統計量を取得する。端子Ａ〜Ｄの統計量の差異が閾値以下のとき終了し、そうでないときＳ２０６へ遷移する。例えば、端子Ａ〜Ｄの平均輝度の最大値から最小値を引いた値が、最大値の２０％以下のとき終了し、そうでないときＳ２０６へ遷移し警告を実行する。
【００７１】
他のステップに関しては、第１の実施例と同一であり、第１の実施例と共通の符号を用いて示す。なお、第１の実施例における制御部１０９による制御は、制御部５０９が実行する。
【００７２】
Ｑｕａｄ−ｌｉｎｋ  １２Ｇ−ＳＤＩ信号においては、各端子の絵柄が略同一であるから、端子Ａ〜Ｄの統計量も略同一になることが期待される。よって、端子Ａ〜Ｄの統計量の差異が閾値以下でないときに警告することにより、信号情報は同一であるが、絵柄が異なる映像信号に対して異常を検出できる。
【００７３】
＜実施例３＞
第１の実施例を一部改変して本発明を実施する例を説明する。
【００７４】
本発明の第３の実施例では、端子Ａ〜Ｄから入力される映像信号の統計量を利用する例を説明する。なお、主として実施例１との差分を説明する。
【００７５】
図７は、本発明の第３の実施例にかかわる表示装置の概略構成を示すブロック図である。
【００７６】
図７を参照して、本発明の第３の実施例にかかわる表示装置の概略構成について説明する。
【００７７】
統計量取得部７１０は、端子Ａ〜Ｄへ入力された映像信号のうち選択部１０４により選択された映像信号を計測して、統計量を取得する。
【００７８】
制御部７０９は、ＣＰＵとメモリから構成される。メモリに書き込まれたソフトウエアをＣＰＵが実行する。なお、第１の実施例における制御部１０９と動作が一部異なるため、別の符号を付す。
【００７９】
他の構成要素は第１の実施例と同一であり、第１の実施例と共通の符号を用いて示す。
【００８０】
入力部１０２ａ、入力部１０２ｂ、入力部１０２ｃ、入力部１０２ｄ、信号情報取得部１０３ａ、信号情報取得部１０３ｂ、信号情報取得部１０３ｃ、信号情報取得部１０３ｄ、選択部１０４、画質調整部１０５、グラフィック生成部１０６、グラフィック合成部１０７、統計量取得部７１０は、不図示の制御バスで制御部７０９と接続され、制御部７０９により制御される。
【００８１】
図８は、本発明の第３の実施例にかかわる表示装置が実行する巡回処理を示すフローチャートである。
【００８２】
図８を参照して、巡回処理について説明する。
【００８３】
Ｓ８０２で切り換え前の端子の統計量を取得する。例えば、現ステップにおいて選択部１０４が端子Ａを選択し、Ｓ３０１にて端子Ｂへ切り換えるのであれば、端子Ａの統計量を取得する。
【００８４】
Ｓ８０３で切り換え後の端子の統計量を取得する。例えば、Ｓ８０２において選択部１０４が端子Ａを選択し、Ｓ３０１にて端子Ｂへ切り換えるのであれば、端子Ｂの統計量を取得する。
【００８５】
Ｓ８０４で切り換え前の端子の統計量と切り換え後の端子の統計量とを比較し、その差異が閾値以下のとき終了し、そうでないときＳ８０５へ遷移する。例えば、Ｓ８０２にて端子Ａの統計量を取得し、Ｓ８０３にて端子Ｂの統計量を取得し、端子Ａの統計量と端子Ｂの統計量とを比較する。
【００８６】
Ｓ８０５で制御部７０９は、使用者に対し入力映像信号の異常を警告する。警告方法は特に限定さないが、グラフィック生成部１０６で警告文言の画像を生成し、グラフィック合成部１０７で合成したのち、表示部１０８へ表示する方法がある。
【００８７】
他のステップに関しては、第１の実施例と同一であり、第１の実施例と共通の符号を用いて示す。なお、第１の実施例における制御部１０９による制御は、制御部７０９が実行する。
【００８８】
Ｑｕａｄ−ｌｉｎｋ  １２Ｇ−ＳＤＩ信号においては、各端子の絵柄が略同一であるから、端子Ａ〜Ｄの統計量も略同一になることが期待される。よって、略同時刻に２端子の統計量を連続して取得し、統計量の差異が閾値以下でないときに警告することにより、信号情報は同一であるが、絵柄が異なる映像信号に対して異常を検出できる。また、統計量取得部は、１系統でよい。
【００８９】
＜他の実施例＞
第１の実施例を一部改変して本発明を実施する複数の例を説明する。なお、本項で述べる改変方法は、第２および第３の実施例に適用することも可能である。
【００９０】
Ｓ２０３における全端子の画素素数が同一か確認するステップに関して、水平有効画素数、垂直有効画素数、水平総画素数、垂直総画素数のうち一部または全部が同一か確認する。
【００９１】
Ｓ２０４における全端子の垂直周波数が同一か確認するステップに関して、垂直周波数に加えて水平周波数が同一か確認する。
【００９２】
Ｓ２０４における全端子の垂直周波数が同一か確認するステップに関して、Ｐａｙｌｏａｄ  ＩＤに含まれるＰｉｃｔｕｒｅ  ｒａｔｅが同一か確認する。
【００９３】
Ｓ２０５における全端子のＰ／Ｉ／ＰｓＦが同一か確認するステップに関して、ＳＡＶおよびＥＡＶに含まれるＦビットが常に０のときＰ、０または１が含まれるときＩと判定する。または、Ｐａｙｌｏａｄ  ＩＤに含まれるｔｒｕｎｓｐｏｒｔおよびｐｉｃｔｕｒｅから判定する。すなわち、ｔｒｕｎｓｐｏｒｔ＝０かつｐｉｃｔｕｒｅ＝０のときＩ、ｔｒｕｎｓｐｏｒｔ＝０かつｐｉｃｔｕｒｅ＝１のときＰｓＦ、ｔｒｕｎｓｐｏｒｔ＝１かつｐｉｃｔｕｒｅ＝１のときＰと判定する。
【００９４】
異常検出処理において、全端子のＳＤＩ方式が同一か確認し、同一でなければ警告する。
【００９５】
異常検出処理において、全端子のＳａｍｐｌｉｎｇ  ｓｔｒｕｃｔｕｒｅが同一か確認し、同一でなければ警告する。Ｓａｍｐｌｉｎｇ  ｓｔｒｕｃｔｕｒｅは、Ｐａｙｌｏａｄ  ＩＤに含まれるものを取得する。
【００９６】
異常検出処理において、全端子のＰａｙｌｏａｄ  ＩＤのＢｙｔｅ１が同一か確認し、同一でなければ警告する。
【００９７】
表示装置が、端子Ａ〜Ｄから入力された４系統の映像信号を同時に表示する状態と４系統から１系統以上３系統以下の映像信号を選択して表示する状態とを有する場合、後者の状態に限り異常検出処理および巡回処理を実施する。
【００９８】
Ｓ４０３およびＳ４０５を省略して実施することも可能である。すなわち、ＧＵＩの設定を省略し、Ｓ４０２の判定がＹｅｓであればＳ４０４における異常検出処理を実行し、Ｓ４０６の判定がＮｏであればＳ４０７における巡回処理を実行する。
【００９９】
Ｓ２０１、Ｓ２０２、Ｓ２０３、Ｓ２０４、Ｓ２０５の一部を省略して実施することも可能である。
【０１００】
Ｓ４０６を省略して実施することも可能である。すなわち、Ｓ４０５の判定がＹｅｓであればＳ４０７における巡回処理を実行する。
【０１０１】
Ｓ４０４における異常検出処理だけを実行し、Ｓ４０７における巡回処理を実行しないことも可能である。すなわち、Ｓ４０５、Ｓ４０６、Ｓ４０７を省略し、Ｓ４０４の後、終了する。
【０１０２】
Ｓ４０７における巡回処理だけを実行し、Ｓ４０４における異常検出処理を実行しないことも可能である。すなわち、Ｓ４０３、Ｓ４０４、Ｓ４０６を省略し、Ｓ４０２の判定がＹｅｓであればＳ４０５へ遷移し、Ｓ４０５の判定がＹｅｓであればＳ４０７へ遷移する。
【０１０３】
巡回処理を異常検出処理よりも長い周期で実行することも可能である。すなわち、図４に示すフローチャートが１０回実行されたうち、Ｓ４０５、Ｓ４０６、Ｓ４０７を１回だけ実行する。Ｓ４０５、Ｓ４０６、Ｓ４０７を実行しないときは、Ｓ４０４の後、終了する。
【０１０４】
本発明をＳＭＰＴＥ  ＳＴ  ２０８１−１２にて規定されているＱｕａｄ−ｌｉｎｋ  ６Ｇ−ＳＤＩのうち４３２０ラインの信号に適用することも可能である。Ｓ４０２において、端子Ａ〜Ｄのうち少なくとも１端子にＱｕａｄ−ｌｉｎｋ  ６Ｇ−ＳＤＩの４３２０ライン信号のうちの１本が入力されているときＳ４０３へ遷移し、そうでないとき終了する。より詳細には、信号情報取得部１０３ａにて取得したＳＤＩ方式が６Ｇ−ＳＤＩであり、Ｐａｙｌｏａｄ  ＩＤのＢｙｔｅ１が、０ｘＢ４であるとき、端子ＡにＱｕａｄ−ｌｉｎｋ  ６Ｇ−ＳＤＩの４３２０ライン信号のうちの１本が入力されていると判断する。端子Ｂ、端子Ｃ、端子Ｄも同様に判断する。なお、ＳＭＰＴＥ  ＳＴ  ２０８１−１２に、Ｑｕａｄ−ｌｉｎｋ  ６Ｇ−ＳＤＩの４３２０ライン信号のＰａｙｌｏａｄ  ＩＤのＢｙｔｅ１は、０ｘＢ４と規定されている。
【０１０５】
選択部１０４の動作を以下の通り変更する。入力部１０２ａ、入力部１０２ｂ、入力部１０２ｃ、入力部１０２ｄから受信した４系統の映像信号から２系統を合成して１系統の映像信号を出力する。入力部１０２ａおよび入力部１０２ｂから受信した２系統を合成するモード（ＡＢモード）、入力部１０２ｃおよび入力部１０２ｄから受信した２系統を合成するモード（ＣＤモード）を切り換え可能とする。ＡＢモードのとき、出力画像の左から２Ｎ番目の画素を入力部１０２ａの対応する画素から、出力画像の左から２Ｎ＋１番目の画素を入力部１０２ｂの対応する画素から、取り出す。ＣＤモードの時も同様とする。Ｓ３０１を以下の通り変更する。制御部１０９は、選択部１０４を制御してモードを切り換える。ＡＢモードのきＣＤモードへ切り換え、ＣＤモードのきＡＢモードへ切り換える。
【０１０６】
ＳＭＰＴＥ  ＳＴ  ２０８１−１１にて規定されているＤｕａｌ−ｌｉｎｋ  ６Ｇ−ＳＤＩにおいて、２系統の６Ｇ−ＳＤＩを用いて、４Ｋ映像を伝送する方式が規定されている。４系統のＤｕａｌ−ｌｉｎｋ  ６Ｇ−ＳＤＩ、すなわち、８系統の６Ｇ−ＳＤＩを用いて、８Ｋ映像を伝送することが可能である。
【０１０７】
なお、２０１８年１１月現在、８系統の６Ｇ−ＳＤＩによる８Ｋ映像信号の方式に関して、ＳＭＰＴＥによる規定はなされていない。本発明を８系統の６Ｇ−ＳＤＩによる８Ｋ映像信号を受信する表示装置に適用することが可能である。入力端子、入力部、信号情報取得部をそれぞれ８系統設ける。８系統の入力を入力Ａ１、入力Ａ２、入力Ｂ１、入力Ｂ２、入力Ｃ１、入力Ｃ２、入力Ｄ１、入力Ｄ２と呼ぶ。
【０１０８】
選択部は、８系統から２系統を選択し、２系統の６Ｇ−ＳＤＩから１系統の４Ｋ映像を合成して出力する構成とする。８系統の入力のうち少なくとも１系統の入力に関して、ＳＤＩ方式が６Ｇ−ＳＤＩ、かつ、Ｐａｙｌｏａｄ  ＩＤのＢｙｔｅ１が８系統の６Ｇ−ＳＤＩによる方式を示す値であるとき、異常検出処理および巡回処理を実行する。異常検出処理において、８系統の入力のうち少なくとも１系統が無信号であるとき、８系統の入力のうち少なくとも１系統が非対応信号であるとき、８系統の入力の信号情報が同一でないとき、警告を実行する。巡回処理において、選択部は、入力Ａ１と入力Ａ２を選択する状態、入力Ｂ１と入力Ｂ２を選択する状態、入力Ｃ１と入力Ｃ２を選択する状態、入力Ｄ１と入力Ｄ２を選択する状態を順次切り換える。
【０１０９】
以上、本発明の好ましい実施形態について説明したが、本発明はこれらの実施形態に限定されず、その要旨の範囲内で種々の変形及び変更が可能である。
【符号の説明】
【０１１０】
１０３ａ，１０３ｂ，１０３ｃ，１０３ｄ  信号情報取得部、
１０４  選択部、１０９，５０９，７０９  制御部、
５１０ａ，５１０ｂ，５１０ｃ，５１０ｄ，７１０  統計量取得部
【図１】
2020120212.tif 000003
【図２】
2020120212.tif 000004
【図３】
2020120212.tif 000005
【図４】
2020120212.tif 000006
【図５】
2020120212.tif 000007
【図６】
2020120212.tif 000008
【図７】
2020120212.tif 000009
【図８】
2020120212.tif 000010